(57)【要約】      （修正有）【課題】専門知識のない使用者であっても、尿試験紙の試験結果から色調表を使って、直感的に簡単に健康状態を判断することができる尿試験キットを提供する。【解決手段】尿試験キットは、尿中に含まれている検出すべき成分量によって色調が変化する尿試験紙と、検出すべき成分量に応じた体の健康状態に対応する色調表が印刷された色調シートとを備え、前記色調シートにおける色調表の各色毎に身体の健康状態を連想させる図形を表示したことを特徴とする。【選択図】図１
0003148820.tif 000002
【実用新案登録請求の範囲】
【請求項１】
尿中に含まれている検出すべき成分量によって色調が変化する尿試験紙と、
検出すべき成分量に応じた体の健康状態に対応する色調表が印刷された色調シートと
を備え、
前記色調シートにおける色調表の各色毎に身体の健康状態を連想させる図形を表示した
ことを特徴とする尿試験キット。
【請求項２】
前記尿試験紙を収容するケースを備えている
ことを特徴とする尿試験キット。
【請求項３】
前記色調シートが、前記ケースと一体である
ことを特徴とする請求項２に記載の尿試験キット。
【請求項４】
前記検出すべき成分量が、関節痛原因物質、肝臓障害指標物質又は疲労物質である
ことを特徴とする請求項１〜３の何れか一項に記載の尿試験キット。
【請求項５】
前記検出すべき成分量が、尿糖、尿タンパク及び／又は尿潜血である
ことを特徴とする請求項１〜３の何れか一項に記載の尿試験キット。
【考案の詳細な説明】
【技術分野】
【０００１】
本考案は、家庭で個人が利用可能な安価な尿試験キットの改良に関する。
【背景技術】
【０００２】
近年、国民医療費総額は増加の一途をたどっており、国家財政を圧迫している。その対策として、国民一人ひとりが、自ら自分の健康状態を把握し、病気の発生を未然に防ぐような習慣の浸透が望まれている。
また近年、過食や運動不足による肥満に起因する生活習慣病が増加している。この生活習慣病には、糖尿病、高血圧、脂質異常症、関節痛等があり、これらの疾患は、放置すると、進行して、生命の維持に関わる重篤な疾患に至ることもあるため、早期発見が望まれる。
しかし、生活習慣病の多くは自覚症状がないまま進行し、自覚症状が出た時には相当病状が悪化していることが多い。
自覚症状の乏しいこれらの疾患を早期に発見し、病気の発生を未然に防ぐためには、定期的に、できれば毎日、健康管理器具等を用いて自らの体調を調べることが望ましい。
【考案の開示】
【考案が解決しようとする課題】
【０００３】
定期的に自らの健康状態を調べる方法としては、尿中に含まれている様々な成分の量を検出し、その成分量により健康状態を判断する方法が手軽で有効である。
健康状態を判断する指標となる尿中成分としては、例えば、尿糖、尿タンパク、尿潜血、関節痛原因物質、疲労物質及び肝臓障害指標物質等が挙げられる。
また、尿糖の量は糖尿病の指標となり、尿タンパクの量は腎臓や尿路系の疾患の指標となり、尿潜血の量は腎臓や膀胱等の泌尿器系疾患の指標となる。
このような尿中の成分量の検出は、尿試験紙を用いて行うことができる。一部の尿試験紙は、一般薬局等で購入可能であることから、病院や検査センター等の医療関連機関内のみならず、一般家庭でも気軽に使用することができる。
上記したように尿中成分の量は、様々な健康状態の指標となるが、一般家庭で尿試験紙を使用している場合、使用者自らが検出結果から健康状態を把握しなければならない。
全ての成分の試験結果が、例えば、色が濃ければ健康状態が悪く、色が薄ければ健康状態が良いという共通した判断をすることができれば、専門知識のない使用者でも健康状態を把握し易いが、実際には、ある成分の試験結果は、尿試験紙の色が濃ければ健康状態が悪く、色が薄ければ健康状態が良いと判断できるが、別の成分の試験結果は、尿試験紙の色が濃すぎても薄すぎても健康状態が悪いと判断しなければならない等、試験する成分によって尿試験紙の色に応じた健康状態が異なるので、専門知識のない使用者が、尿試験紙の検出結果から色調表を使って、自らの健康状態を把握するのは簡単なことではない。
折角、尿試験紙を使って試験をしても、検出結果から健康状態を判断することができなければ試験をした意味がないし、病院に行くタイミングを逃すことになるので問題である。
本考案は、専門知識のない使用者であっても、尿試験紙の試験結果から色調表を使って、直感的に簡単に健康状態を判断することができる尿試験キットを提供することを目的としている。
【課題を解決するための手段】
【０００４】
上記した目的を達成するために、本考案に係る尿試験キットは、尿中に含まれている検出すべき成分量によって色調が変化する尿試験紙と、検出すべき成分量に応じた体の健康状態に対応する色調表が印刷された色調シートとを備え、前記色調シートにおける色調表の各色毎に身体の健康状態を連想させる図形を表示したことを特徴とする。
前記尿試験キットは、尿試験紙を収容するケースを有することができる。この場合、前記色調シートはケースと一体であってもよく、また、ケースと別体に形成され、尿試験紙と共にケースの中に収容されていてもよい。
尿試験紙により検出すべき尿中の成分量としては、例えば、尿糖、尿タンパク及び／又は尿潜血、若しくは、関節痛原因物質、肝臓障害指標物質又は疲労物質等が挙げられる。
この明細書では、便宜上、「試験紙」という用語を用いるが、この「試験紙」は、必ずしも全体が紙で構成されている必要はなく、一部の材質が紙製でなくとも、たとえばプラスチックであっても差支えない。
【考案の効果】
【０００５】
本考案に係る尿試験キットは、尿中に含まれている検出すべき成分量によって色調が変化する尿試験紙と、検出すべき成分量に応じた体の健康状態に対応する色調表が印刷された色調シートとを備え、前記色調シートにおける色調表の各色毎に身体の健康状態を連想させる図形を表示しているので、専門知識のない使用者であっても、尿試験紙の試験結果から色調表を使って、直感的に簡単に健康状態を判断することができる。
尿試験キットが、尿試験紙を収容するケースを備え、前記色調シートがケースと一体に形成されていれば、色調シートを単独で保管する必要がなくなるので、色調シートを紛失する可能性は低くなる。色調シートがなければ試験をしても健康状態を把握することができないので、色調シートの紛失を防止することは尿試験キットにおいて極めて大きな効果を奏するものである。
尿試験紙で、関節痛原因物質、肝臓障害指標物質又は疲労物質を検出することにより、健康状態を把握することが可能になる。
【考案を実施するための最良の形態】
【０００６】
以下、添付図面に示した一実施例を参照しながら、本考案に係る尿試験キットの実施の形態を説明していく。
図１は、本考案に係る尿試験キットの第一の実施例を構成する尿試験紙及び色調シートの概略図を示している。
図面に示すように、この尿検査キットは、尿試験紙１と色調シート２とを備えている。
尿試験紙１は尿中の疲労物質の量を検出する尿試験紙である。
色調シート２には、色調表３が印刷されている。
また、色調シート２には、色調表３の各色毎に身体の健康状態を連想させる図形４が印刷されている。
疲労物質の場合、尿中の疲労物質の量が多ければ多い程、筋肉が疲労している可能性が高いため、この実施例の色調表３は色が薄いほど普通で、色が濃くなれば濃くなる程、筋肉が疲労している可能性が高いと判断する。このため身体の健康状態を連想させる図形４は、色調表３における一番薄い色に「家」の図形が表示され、二番目に薄い色には「聴診器を付けた医者」の図形が一つ表示され、一番濃い色には「聴診器を付けた医者」の図形が二つ表示されている。これにより、使用者は「家」の図形から「医者に行く必要性が低い、即ち、家にいても大丈夫」と健康状態を判断でき、「聴診器を付けた医者」の図形から医者の数が多いほど「医者に行った方がよい」と健康状態を判断することができる。
【０００７】
図２は、本考案に係る尿試験キットの第二の実施例を構成する尿試験紙及び色調シートの概略図を示している。
図面に示すように、この尿検査キットは、尿試験紙５と色調シート６とを備えている。
尿試験紙５は尿中の関節痛原因物質の量を検出する尿試験紙である。
色調シート６には、色調表７が印刷されている。
また、色調シート７には、色調表７の各色毎に身体の健康状態を連想させる図形８が印刷されている。
関節痛原因物質の場合、尿中の関節痛原因物質の量が多すぎると血中の関節痛原因物質の量が多いと判断でき、尿中の関節痛原因物質の量が少なすぎても尿への関節痛原因物質の排泄がうまくいっていないと判断できる。この実施例の色調表７は、色が薄くても濃くても関節痛になる可能性があると判断し、中間の色が普通の状態と判断する。このため身体の健康状態を連想させる図形８は、色調表７における一番薄い色と一番濃い色に「聴診器を付けた医者」の図形が一つ表示され、中間の色に「家」の図形が表示されている。これにより、使用者は「家」の図形から「医者に行く必要性が低い、即ち、家にいても大丈夫」と健康状態を判断でき、「聴診器を付けた医者」の図形から「医者に行った方がよい」と健康状態を判断することができる。
【０００８】
図３は、第一の実施例の変形例であり、尿試験紙１を収容する袋１０が設けられ、該袋１０の表面に、色調シート２が一体に設けられている実施例を示している。
このように色調シート２を袋１０のような尿試験紙１のケースに一体に設けることにより、色調シートを紛失する恐れが無くなる。
【０００９】
上記した実施例では、疲労物質又は関節痛原因物質を調べるための尿試験紙を備えた尿試験キットを例に挙げて説明をしているが、尿試験紙の種類及び尿試験紙によって検出すべき成分の種類は本実施例に限定されるものではない。例えば、肝臓障害指標物質を検出する尿試験紙を用いることによって肝臓の健康状態を把握することができる。
【図面の簡単な説明】
【００１０】
【図１】本考案に係る尿試験キットの第一実施例の概略図である。
【図２】本考案に係る尿試験キットの第二実施例の概略図である。
【図３】本考案に係る尿試験キットの第一実施例の変形例の概略図である。
【符号の説明】
【００１１】
１  尿試験紙
２  色調シート
３  色調表
４  身体の健康状態を連想させる図形
５  尿試験紙
６  色調シート
７  色調表
８  身体の健康状態を連想させる図形
１０  袋
【図１】
0003148820.tif 000003
【図２】
0003148820.tif 000004
【図３】
0003148820.tif 000005
【手続補正書】
【提出日】平成20年12月15日(2008.12.15)
【手続補正１】
【補正対象書類名】実用新案登録請求の範囲
【補正対象項目名】全文
【補正方法】変更
【補正の内容】
【実用新案登録請求の範囲】
【請求項１】
尿中に含まれている検出すべき成分量によって色調が変化する尿試験紙と、
検出すべき成分量に応じた体の健康状態に対応する色調表が印刷された色調シートと
を備え、
前記色調シートにおける色調表の各色毎に身体の健康状態を連想させる図形を表示した
ことを特徴とする尿試験キット。
【請求項２】
前記尿試験紙を収容するケースを備えている
ことを特徴とする請求項１に記載の尿試験キット。
【請求項３】
前記色調シートが、前記ケースと一体である
ことを特徴とする請求項２に記載の尿試験キット。
【請求項４】
前記検出すべき成分量が、関節痛原因物質、肝臓障害指標物質又は疲労物質である
ことを特徴とする請求項１〜３の何れか一項に記載の尿試験キット。
【請求項５】
前記検出すべき成分量が、尿糖、尿タンパク及び／又は尿潜血である
ことを特徴とする請求項１〜３の何れか一項に記載の尿試験キット。